(57)【要約】【課題】シート全体を折畳み状態で簡単な機構により自動的に跳ね上げでき、シート全体の跳ね上りに伴う衝撃を緩衝し、シート跳上げ時の自立保持力を持たせて跳上り状態を安定よく保つ。【解決手段】シート全体を据付け倒しする回転によりバネ力を蓄積するシート跳上げ用のバネ１０，１１をベースフレーム４の枢軸に備えると共に、シート全体の跳上げ速度を規制する減速ダンパー１４を片側に設置するスタンド脚部５の枢軸と連結させて備え、更に、シート全体の跳上げ姿勢を規制する弾性パッド１５をシートクッション１の前部側に突出させてスタンド脚部５と当接可能に備え付ける。【選択図】  図３
2005053243.tif 000002
【特許請求の範囲】
【請求項１】
前端側を車体フロアに設置する左右のスタンド脚部で枢着支持し、且つ、車体フロアより立ち上がる二つのストライカを後端寄り下部に装備する左右のストライカロックで各々くわえ込んで後端側をストライカに据付け載置するベースフレームを備えると共に、各ストライカをくわえ込むストライカロックの解除機構を備え、各ストライカロックによるストライカの解除により、スタンド脚部で軸承支持するベースフレームの枢軸を支点に、シート全体を折畳み状態でベースフレームと共に後部側から上方に跳上げ可能に組み立てるシートにおいて、
シート全体をストライカに据付け倒しする回転によりバネ力を蓄積するシート跳上げ用のバネを各ベースフレームの枢軸に備えると共に、シート全体の跳上げ速度を規制する減速ダンパーを片側に設置するスタンド脚部の枢軸と連結させて備え付け、更に、シート全体の跳上げ姿勢を規制する弾性パッドをシートクッションの前部側に突出させてスタンド脚部と当接可能に備え付けたことを特徴とする跳上げ式折畳みシート。
【請求項２】
捩りコイルバネを片側に設置するスタンド脚部の枢軸上に備えると共に、渦巻きバネを他側に設置するスタンド脚部の枢軸上に備え、更に、その渦巻きバネを備えるスタンド脚部の枢軸と連結させて減速ダンパーを備え付けたことを特徴とする請求項１に記載の跳上げ式折畳みシート。
【発明の詳細な説明】
【０００１】
【発明の属する技術分野】
本発明は、シートバックをシートクッションに折り畳んでシート全体を後部側から上方に跳上げ可能に装備する跳上げ式折畳みシートに関するものである。
【０００２】
【従来の技術】
一般に、自動車用シートはシートバックをシートクッションにリクライニング機構で折畳み可能に組み立てられていることは勿論、シートクッションの下部前後方向に取り付けられるアッパーレールをロアーレールでスライド可能に支持することによりスライドレールを備え、シートをスライドレールで車内の前後方向に移動可能に装備されている。
【０００３】
その自動車用シート，殊に、ワゴン車等のリアシートにおいては荷物等の収容スペースを確保するべく、シートバックをシートクッションに折り畳んでシート全体を後部側からスライドレールと共に上方に跳上げ可能に構成することが企画されている。
【０００４】
その折畳みシートを跳上げ可能に構成するには、ロアーレールの前端側を車体フロアに設置するスタンド脚部で枢着支持し、且つ、車体フロアより立ち上がるストライカを後端寄り下部に取り付けられるストライカロックでくわえ込んでロアーレールの後端側をストライカに据付け載置するスライドレールを備えると共に、ストライカをくわえ込むストライカロックの解除機構を乗員の操作により開錠作動可能に備え付ければよい。
【０００５】
そのストライカロックの開錠操作後は、シート全体を折畳み状態で後部側から持ち上げれば、スタンド脚部で軸承支持するスライドレールの枢軸を支点に、スライドレールを含むシート全体を上方に立付け回転するようにできる。然し、この手作業による跳上げではシート全体が重くて重量があるから労力を要する。また、この単なる跳上げ機構のみでは立付け姿勢を安定よく保てない。
【０００６】
【発明が解決しようとする課題】
本発明は、シート全体を折畳み状態で簡単な機構により自動的に跳ね上げられて跳上げ姿勢を安定よく保てる跳上げ式折畳みシートを提供することを目的とする。
【０００７】
また、本発明はシート全体を折畳み状態で簡単な機構でより安定よく跳ね上げられる跳上げ式折畳みシートを提供することを目的とする。
【０００８】
【課題を解決するための手段】
本発明の請求項１に係る跳上げ式折畳みシートにおいては、前端側を車体フロアに設置する左右のスタンド脚部で枢着支持し、且つ、車体フロアより立ち上がる二つのストライカを後端寄り下部に装備する左右のストライカロックで各々くわえ込んで後端側をストライカに据付け載置するベースフレームを備えると共に、各ストライカをくわえ込むストライカロックの解除機構を備え、各ストライカロックによるストライカの解除により、スタンド脚部で軸承支持するベースフレームの枢軸を支点に、シート全体を折畳み状態でベースフレームと共に後部側から上方に跳上げ可能に組み立てるもので、
シート全体をストライカに据付け倒しする回転によりバネ力を蓄積するシート跳上げ用のバネを各ベースフレームの枢軸に備えると共に、シート全体の跳上げ速度を規制する減速ダンパーを片側に設置するスタンド脚部の枢軸と連結させて備え付け、更に、シート全体の跳上げ姿勢を規制する弾性パッドをシートクッションの前部側に突出させてスタンド脚部と当接可能に備え付けることにより構成されている。
【０００９】
本発明の請求項２に係る跳上げ可能なスライド式折畳みシートにおいては、捩りコイルバネを片側に設置するスタンド脚部の枢軸上に備えると共に、渦巻きバネを他側に設置するスタンド脚部の枢軸上に備え、更に、その渦巻きバネを備えるスタンド脚部の枢軸と連結させて減速ダンパーを備え付けることにより構成されている。
【００１０】
【発明の実施の形態】
以下、添付図面を参照して説明すると、図示実施の形態は、図１で示すようにシート設置部位のフロア面ｆ１が乗員足置き部位のフロア面ｆ２より高位に形成されたワゴン車等の車体フロアＦに装備するリアシートを構成するのに適用されている。
【００１１】
その自動車用シートは、シートクッション１と、シートクッション１より立ち上がるシートバック２並びにヘッドレスト３とを備えると共に、リクライニング機構（図示せず）をシートクッション１とシートバック２との枢軸部に備え、ヘッドレスト３を含むシートバック２を前後に傾倒可能なリクライニング式に組み立てられている。
【００１２】
そのリクライニング式に加えて、シートクッション１の下部前後方向に取り付けられるアッパーレール４ａと、アッパーレール４ａをスライド可能に支持するロアーレール４ｂとから組み立てられるスライドレール４をベースフレームとして備え、シートクッション１からシートバック２のシート全体をスライドレール４で車内の前後方向に位置移動可能なスライド式シートとして装備されている。
【００１３】
そのスライドレール４は、前端部がフロア面ｆ１の前部寄りに取付け設置するスタンド脚部５で枢着支持され、且つ、後端部がレール後端寄り下部に備え付けるストライカロック６でフロア面ｆ１から立ち上がるストライカ７をくわえ込むことによりストライカ７に据付け載置されるロアーレール４ｂをベースとして車体フロアＦに敷設されている。
【００１４】
その構成中、ストライカロック６はストライカ７をくわえ顎の口内に嵌め合わせると施錠作動し、後述するストライカロック解除機構の牽引ワイヤで引っ張ると開錠作動する可動爪（図示せず）を備えるもので、ロアーレール４ｂを含むシート全体のロック機構として取り付けられている。これに対し、ストライカ７は丸棒状の金属部材をコの字状に折り曲げたもので、コの字の両軸端をフロア面ｆ１に立付け装着することにより止め金として備え付けられている。
【００１５】
そのストライカロック６には、ストライカ７のくわえ込みを開錠するストライカロックの解除機構８が備え付けられている。このストライカロックの解除機構８は、ストラップによる引張り操作でストライカロック６の可動爪を開錠作動させるようシートクッション１の下部側に備え付けると共に、ストライカロック６と牽引ワイヤ（図示せず）で連結することによりストライカロック６を開錠操作可能に取付け装備されている。
【００１６】
そのストライカロック６は、図２で示す（但し、ロアーレールを主に示す。）ように左右のロアーレール４ｂに備え付けると共に、ストライカ７も左右に備えてシート全体をストライカ７に安定よく据付け載置できるよう装備されている。また、ストライカロック解除機構８は二つのストライカロックを同時に開錠作動できるよう各ストライカロックと二本の牽引ワイヤで連結することにより備え付けられている。
【００１７】
スライドレール４には、スライドロック機構（図示せず）を開錠作動する操作レバー９がアッパーレール４ａからシートクッション１の前部下方に延びるよう備え付けられている。この操作レバー９は、乗員が引上げ揺動するとスライドロックを解除し、一方、引上げを解除するとスライドロックを施錠するようスライドロック機構を作動可能に装備されている。
【００１８】
そのスライド式折畳みシートにおいては、図３で示すようにシート全体をストライカに据付け倒しする回転によりバネ力を蓄積すると共に、シート跳上げ時の自立保持力を確保するバネ１０，１１が両側のスタンド脚部５で軸承支持する各ロアーレール４ｂの枢軸に夫々備え付けられている。
【００１９】
そのバネ１０，１１のうち、片方１０は捩りコイルバネとし、他方１１はシート跳上げ時の自立保持力を高める渦巻きバネとして、各バネのバネ端をロアーレール４ｂの枢軸と、ロアーレール４ｂの枢軸を軸承支持するスタンド脚部５とに各々連結することにより備え付けられている。但し、捩りコイルバネ１０は片方のロアーレール４に挿通する枢軸の軸線上に備え、渦巻きバネ１１は他方のロアーレール４より内側に突出する枢軸の軸線上に備えることにより取り付けられている。
【００２０】
その渦巻きバネ１１は、図４で示すように渦巻き内側のバネ端１１ａをロアーレール４より内側に突出する枢軸４ｃの軸線上に連結し、渦巻き外側のバネ端１１ｂを枢軸４ａと平行でロアーレール４より内側に突出する支軸１２の軸線上に連結することにより備え付けられている。この渦巻きバネ１１は、ゴム輪状のバネカバー１３で取巻き被覆されている。
【００２１】
その渦巻きバネ１１の装備側には、シート全体の跳上げ速度を規制する減速ダンパー１４がバネ１０，１１で瞬発的に跳ね上がるシート全体を跳上げ途上から徐速させるよう備え付けられている。この減速ダンパー１４は油圧シリンダでなり、シリンダロッドをスライドレール４の枢軸４ｃ（図４参照）と軸端で連結すると共に、シリンダ筒をスタンド脚部５より突出する支軸１２で回止め固定することにより渦巻きバネ１１のバネ変形と連動するよう取り付けられている。
【００２２】
そのバネ１０，１１、減速ダンパー１４と共に、シート全体の跳上げ姿勢を規制する弾性パッド１５が各スタンド脚部５と当接するようシートクッション２の前面フランジ１６で前部側下部寄りに突出させて備え付けられている。このシートクッション２の弾性パッド１５に相応し、両側のスタンド脚部５にはシート全体の跳上げ姿勢を調整するスペーサパッド１７が設けられている。
【００２３】
このように構成する跳上げ式の折り畳みシートでは、図５で示すようにシートバック２をシートクッション１の上に前倒しに折り畳んでから、ストライカロックの解除機構８をストラップにより引張り操作すると、ストライカロック６がストライカ７のくわえ込み挟持を解除すると共に、バネ１０，１１がバネ反力を発揮することにより、図６で示すようにシート全体が折畳み状態で後部側から上方に自動的に跳ね上がる。
【００２４】
そのシート全体の跳上り当初は、シート全体の重量がってもバネ１０，１１により瞬発的に且つ円滑に跳ね上げられる。また、跳上げ途上からは減速ダンパー１４により徐速させて跳ね上げでき、完全に跳ね上がると、弾性パッド１５と受けパッド１７と当接し、また、シート跳上げ時の自立保持力を高める渦巻きバネ１１を備えることにより、シート全体の跳ね上りに伴う衝撃を緩衝できて跳上げ姿勢を安定よく立付け保持できる。
【００２５】
そのシート全体は、片方を捩りコイルバネ１０として太いバネ線材を大きな径のコイル状に巻線したものを備え、他方を渦巻きバネ１１として減速ダンパー１４とバネバランスを調整し易くしかもシート跳上げ時の自立保持力を高めるものを備えるため、シート全体の重量に相応するバネトルクを保って瞬発的に安定よく跳上げ動作することができる。
【００２６】
なお、上述した実施の形態ではスライドレール４を備えることから、スタンド脚部５と枢着するベースフレームをロアーレール４ｂで説明したが、このスライドレールを備えないでシートクッションを直付け場合にはシートクッションのアンダーフレームをシートのベースフレームとしてスタンド脚部５と枢着することにより跳上げ式に構成できる。
【００２７】
【発明の効果】
以上の如く、本発明の請求項１に係る跳上げ式折畳みシートに依れば、シート全体をストライカに据付け倒しする回転によりバネ力を蓄積するシート跳上げ用のバネを各ベースフレームの枢軸に備えると共に、シート全体の跳上げ速度を規制する減速ダンパーを片側に設置するスタンド脚部の枢軸と連結させて備え、更に、シート全体の跳上げ姿勢を規制する弾性パッドをシートクッションの前部側に突出させてスタンド脚部と当接可能に備え付けることにより、重量のあるシート全体を折畳み状態で簡単な機構により自動的に跳ね上げられると共に、跳上げ途上から減速ダンパーで徐速させて安定よく跳ね上げでき、また、弾性パッドによりシート全体の跳ね上りに伴う衝撃を緩衝できて跳上げ姿勢を安定よく立付け保持可能に構成できる。
【００２８】
本発明の請求項２に係る跳上げ可能なスライド式折畳みシートに依れば、捩りコイルバネを片側に設置するスタンド脚部の枢軸上に備えると共に、シート跳上げ時の自立保持力を高める渦巻きバネを他側に設置するスタンド脚部の枢軸上に備え、更に、渦巻きバネを備えるスタンド脚部の枢軸と連結させて減速ダンパーを備え付けることにより、減速ダンパーによるバネバランスを適度に保ち、シート全体の重量に相応するバネトルクを保って瞬発的に安定よく跳上げ動作させ、また、シート跳上げ時の自立保持力を持たせられるよう構成できる。
【図面の簡単な説明】
【図１】本発明に係る跳上げ式折畳みシートを示す説明図である。
【図２】同シートを跳上げ状態で後部側から示す説明図である。
【図３】同シートの前部側を一部示す説明図である。
【図４】同シートに備え付けられる渦巻きバネの取付構造を示す説明図である。
【図５】同シートの折畳み状態を示す説明図である。
【図６】同シートの跳上げ状態を示す説明図である。
【符号の説明】
１                シートクッション
２                シートバック
３                ヘッドレスト
４                ベースフレーム（スライドレール）
５                スタンド脚部
６                ストライカロック
７                ストライカ
８                ストライカロック解除機構
１０，１１    シート跳上げ用バネ
１４              減速ダンパー
１５              弾性パッド
Ｆ                車体フロア
【図１】
2005053243.tif 000003
【図２】
2005053243.tif 000004
【図３】
2005053243.tif 000005
【図４】
2005053243.tif 000006
【図５】
2005053243.tif 000007
【図６】
2005053243.tif 000008